(57)【要約】【課題】  防火壁構造を備えた電子機器、特に、ＤＶＤドライブ等の光ディスク記録／再生ユニット及びビデオカセット記録再生ユニットを組み込んだ複合電子機器において、電源回路基板上の記録／再生ユニットに防火壁構造を備えた電子機器を提供する。【解決手段】  筐体内に光ディスク記録／再生ユニットと、ビデオカセット記録再生ユニットとを、夫々、複数の支持柱により支持して並列配置し、光ディスク記録／再生ユニットの支持柱の高さをビデオカセット記録再生ユニットの支持柱の高さより高く形成して夫々の媒体挿入部の高さが略同じ高さになるように構成し、光ディスク記録／再生ユニットとビデオカセット記録再生ユニットの下方には、光ディスク記録／再生ユニットの制御回路基板と、ビデオカセット記録再生ユニットの制御回路基板と、電源回路基板を配置しており、さらに、該電源回路基板の潜在着火源の部分と前記光ディスク記録／再生ユニットとの間に防火壁部材を設けるようにした。【選択図】        図４
2005116130.tif 000002
【特許請求の範囲】
【請求項１】
筐体内に前面に光ディスク媒体挿入部が設けられた光ディスク記録／再生ユニットと、前面にビデオカセット媒体挿入部が設けられたビデオカセット記録再生ユニットとを、夫々、複数の支持柱により支持して並列配置し、光ディスク記録／再生ユニットの支持柱の高さをビデオカセット記録再生ユニットの支持柱の高さより高く形成して夫々の媒体挿入部の高さが略同じ高さになるように構成し、
前記光ディスク記録／再生ユニットと筐体底面との間には、該光ディスク記録／再生ユニットの制御回路が設けられた第一の制御回路基板を配置し、前記ビデオカセット記録再生ユニットと筐体底両との問には、該ビデオカセット記録再生ユニットの制御回路が設けられた第二回路基板を配置し、前記第一回路基板と前記第二回路基板との間で前記光ディスク記録／再生ユニットと筐体底面との間には、電源回路基板を配置しており、
さらに、該電源回路基板の潜在着火源の部分と前記光ディスク記録／再生ユニットとの間に防火壁部材を設けたことを特徴とした防火壁構造を備えた電子機器。
【請求項２】
前記電源回路基板は前記第二回路基板と一体化して構成されたことを特徴とした請求項１記載の防火壁構造を備えた電子機器。
【請求項３】
前記防火壁は、前記光ディスク記録／再生ユニットを支持する前記支持柱に対して係合支持されたことを特徴とした請求項１又は請求項２記載の防火壁構造を備えた電子機器。
【請求項４】
前記防火壁を係合支持する支持柱は、該防火壁の回動を阻止する回転防止片を備えたことを特徴とした請求項３記載の防火壁構造を備えた電子機器。
【請求項５】
前記防火壁は、金属バリアー又はＩＥＣ６０７０７に基づく燃焼性カテゴリーがＦＶ０の隔壁であることを特徴とした上記請求項の内の一つの請求項に記載の防火壁構造を備えた電子機器。
【請求項６】
前記防火壁は、前記電源回路基板の潜在着火源から５０ｍｍ以内に配置されていることを特徴とした上記請求項の内の一つの請求項に記載の防火壁構造を備えた電子機器。
【発明の詳細な説明】
【技術分野】
【０００１】
本発明は、防火壁構造を備えた電子機器に関し、特に、ＤＶＤ（Ｄｉｇｉｔａｌ  Ｖｅｒｓａｔｉｌｅ  Ｄｉｓｋ）ドライブ等の光ディスク記録／再生ユニット及びビデオカセット記録再生ユニット（ＶＣＲ：Ｖｉｄｅｏ  Ｃａｓｓｅｔｔｅ  Ｒｅｃｏｒｄｅｒ）を組み込んだ複合電子機器において、電源回路基板上の記録／再生ユニットに防火壁構造を備えた電子機器に関する。
もちろん、本発明は、その発明の趣旨に反しないで、実施例において説明した以外の電子機器にも容易に適用可能なものであることは自明のことである。また、本発明において、記録再生ユニットとは記録と再生が可能なユニットを意味し、記録／再生ユニットとは、再生又は記録のみが可能なユニットと、記録及び再生が可能なユニットを含む意味として用いている。もちろん、このような装置において記録のみが可能な装置というものは稀有ではあるが、本発明においてそれを除外する必要はないので、以上のように各用語を解釈する。
【背景技術】
【０００２】
近年、媒体にＤＶＤ、ハードディスク等を用いた大容量の記録／再生装置が実用化されるとともに、従来使用されていたアナログ式のビデオカセット記録再生装置と複合化した電子機器が開発され販売されてきている。その場合、複数の記録／再生装置を別々に備えているからといって、電源等を夫々の装置に対して独立して重複して備えることになると、小型化ができないために複合化による重複した部品は共通化して機器全体をコンパクト化するような設計が一般的である。
【０００３】
こうした複合電子機器の内部レイアウトとしては、例えば、特許文献１には、筐体の底面を構成するシャーシの上面に第一の再生系ユニット及び第二の再生系ユニットを水平に並列配置し、上面パネルパナルの裏面にＣＰＵ等からなる主制御回路等を構成した基板を備え付けたものが開示され、また、特許文献２には、光学式ディスク装置において、回路基板を機械式フレームの上下に配置したものが開示されている。
【０００４】
本発明者は、このような複合電子機器の開発にあたり、光学式ディスク記録／再生ユニットの外形寸法が、ビデオカセット記録再生ユニットの外形寸法よりも高さが低くなるとを利用して、光学式ディスク記録／再生ユニットを複数の支持柱で支持して、光学式ディスク記録／再生ユニットとビデオカセット記録再生ユニットの記録媒体挿入部の高さを略同じになるように配置し、光学式ディスク記録／再生ユニットと筐体底面との間に空きスペースを確保する電子機器の開発に関わってきた。
【０００５】
このような電子機器、特に、複合電子機器は、各種回路及び各種ハード構成を狭い範囲内に複合して配置する必要がある。しかし、一方、電子回路の中には、どうしてもその回路構成から回路内に高電圧の発生する部分が生じるのは止むを得ないことであるが、ハード機器構成としては難燃材料を採用できない構造物の場合もある。そして、このような電子機器は世界各国で利用されるものであり、各国の規格に適合した製品でなければならない。
【０００６】
ヨーロッパにおいては、欧州規格ＥＮ６００６５：１９９８年版の要求により、４００Ｖピークを越える回路部分の上方５０ｍｍのエリアにある樹脂は、ＦＶ−２の燃焼グレードが要求される。そして、このようなエリアに、ＦＶ−２の燃焼グレードに満たない樹脂がある場合は、ＦＶ−０の燃焼グレードの防火壁によって保護する必要がある。
【０００７】
ＥＮ６００６５によると、「潜在着火源と見出しの部品の又は部分との間の距離が表１３に規定した値に満たない場合は、当該部品及び部分は、表１３に規定した燃焼性カテゴリーに応じてＩＥＣ６０７０７に基づく試験を行ったとき、これに適合するものであること。ただし、金属バリアー又はＩＥＣ６０７０７に基づく燃焼性カテゴリーがＦＶ０の隔壁により潜在着火源から遮断したものは、この限りでない。」と規定されている。この規定の表１３では、潜在的着火源の開放回路電圧が、４００Ｖを超え、４０００Ｖ以下（尖頭値）の交流または直流の場合に、潜在着火源から下方又は側方の部品又は部分までの距離を１３ｍｍ、潜在着火源から上方の部品又は部分までの距離を５０ｍｍ、ＩＥＣ６０７０７に基づく燃焼性カテゴリーをＦＶ２としている（[図１１]参照）。
つまり、図１１を参照しながら説明すれば、基板上に搭載された電気部品１が４００Ｖを超え、４０００Ｖ以下（尖頭値）の交流または直流が流れる部品又は回路の一部分であればそれより上方は、直径Ｄが１３ｍｍで高さが５０ｍｍの円錐体内部、及び下方は、直径Ｄが１３ｍｍの半球体内部に存在する部材の燃焼性カテゴリーが規制されているものである。しかし、その間に、金属バリアー又はＩＥＣ６０７０７に基づく燃焼性カテゴリーがＦＶ０の隔壁により潜在着火源から遮断したものは、この限りでないというものである。
【０００８】
【特許文献１】特開２００２−５０１７１号公報
【特許文献２】特開平９−７３７６６号公報
【非特許文献１】欧州規格  ＥＮ６００６５  １９９８年版  オーディオ、ビデオその他これに類する機器−安全性要求事項（Ｅｕｒｏｐｅａｎ  Ｓｔａｎｄａｒｄ  ＥＮ６００６５：１９９８  Ａｕｄｉｏ，  Ｖｉｄｅｏ  ａｎｄ  ｓｉｍｉｌａｒ  ｅｌｅｃｔｒｏｎｉｃ  ａｐｐａｒａｔｕｓ  Ｓａｆｅｔｙ  ｒｅｑｕｉｒｅｍｅｎｔｓ）
【発明の開示】
【発明が解決しようとする課題】
【０００９】
本発明は、以上のような電子機器、特に、複合電子機器において、４００Ｖピークを越える回路部分の上方５０ｍｍ以内のエリアにあるＦＶ２の燃焼性カテゴリーに満たない樹脂部材に対して防火壁を備えた電子機器を提供しようとするものである。
【課題を解決するための手段】
【００１０】
本発明は、筐体内に前面に光ディスク媒体挿入部が設けられた光ディスク記録／再生ユニットと、前面にビデオカセット媒体挿入部が設けられたビデオカセット記録再生ユニットとを、夫々、複数の支持柱により支持して並列配置し、光ディスク記録／再生ユニットの支持柱の高さをビデオカセット記録再生ユニットの支持柱の高さより高く形成して夫々の媒体挿入部の高さが略同じ高さになるように構成し、光ディスク記録／再生ユニットと筐体底面との間には、該光ディスク記録／再生ユニットの制御回路が設けられた第一の制御回路基板を配置し、ビデオカセット記録再生ユニットと筐体底両との問には、該ビデオカセット記録再生ユニットの制御回路が設けられた第二回路基板を配置し、第一回路基板と第二回路基板との間で光ディスク記録／再生ユニットと筐体底面との間には、電源回路基板を配置しており、さらに、該電源回路基板の潜在着火源の部分と光ディスク記録／再生ユニットとの間に防火壁部材を備えた電子機器に関するものである。これにより、機器設計において空間を有効に利用でき、装置を小型化することが可能である。
【００１１】
本発明では、電源回路基板は、第二回路基板と一体化して構成されており、これにより装置を小型化することが可能である。
また、防火壁は、光ディスク記録／再生ユニットを支持する支持柱に対して係合支持されており、防火壁を係合支持する支持柱は、該防火壁の回動を阻止する回転防止片を備えている。
また、防火壁は、金属バリアー又はＩＥＣ６０７０７に基づく燃焼性カテゴリーがＦＶ０の隔壁であり、防火壁を電源回路基板の潜在着火源から５０ｍｍ以内に配置することが可能である。
【発明の効果】
【００１２】
本願発明は、以上のようなレイアウト配置するにすることにより、電源回路基板を背面側に別途配置する場合に比べ、複合電子機器の奥行き方向の寸法を約２０％短くすることが可能となり、そして、幅方向及び高さ方向の寸法はそのままで維持することができ、従来に比べよりコンパクト化することが可能となった。
【００１３】
電源回路基板には、４００Ｖを超える回路部分が構成されているが、防火壁を設けることにより、それより上方５０ｍｍ以内に光ディスク記録／再生ユニットを設置することが可能であり、装置の小型化に大いに寄与している。
【発明を実施するための最良の形態】
【００１４】
以下、本発明の実施例を図面に沿って説明する。なお、以下の実施態様は、本発明を具体化する際の一形態であって、本発明をその範囲内に限定するためのものではない。
図１は、本発明の実施例である複合電子機器１０全体の外観斜視図であり、図２は、上面フレーム２０を取り外した状態の斜視図である。複合電子機器１０の筐体は、上面フレーム２０、前面パネル３０及び背面フレーム４０が底面フレーム５０にネジ止めされて固定されている（ネジ止めの構成は本発明に係るものではないので図示しない）。
【００１５】
上面フレーム２０は、回路基板等の組み込み易さから、筐体の上面及び側面を一体的に構成するように３方向が開放したコ字状に形成されている。前面パネル３０には、ＤＶＤ媒体の挿入口３１及びビデオカセット媒体の挿入口３２が略同一の高さになるように形成されている。また、ＤＶＤ装置及びＶＣＲ装置を操作するための操作ボタン３３及び３４が夫々挿入口３１及び３２の下方に配置され、中央部には表示部３５が取り付けられている。底面フレーム５０には、ＤＶＤ記録／再生ユニット６０、ビデオカセット記録再生ユニット７０及び回路基板（図２はフレーム構成の概略を示す図であるために図示していない）等が配置されてネジ止め等により固定されている。
【００１６】
図３は、底面フレーム５０の上面への部品の取り付け状態を分解して示した分解斜視図である。底面フレーム５０には、ＤＶＤ記録／再生ユニット６０及びビデオカセット記録再生ユニット７０が左右方向に並べて配置されている。
【００１７】
ＤＶＤ記録／再生ユニット６０は、３本の支持柱６３、６３、６３により底面フレーム５０の上面に支持されている。ＤＶＤ記録／再生ユニット６０の底面フレーム５０上面からの高さは、支持柱６３の高さによって決められる。支持柱６３は、その下端を底面フレーム５０にネジ止め（図示せず）により固定されており、その上端はＤＶＤ記録／再生ユニット６０の下面に適当な係止手段（図示せず）により係止固定されている。なお、支持柱６３の本数を何本にするか、或いはそれらの位置については、設計的な事項である。
【００１８】
ビデオカセット記録再生ユニット７０は、４本の支持柱７３、７３、７３、７３により底面フレーム５０の上面に支持されている。ビデオカセット記録再生ユニット７０の底面フレーム５０上面からの高さは、支持柱７３の高さによって決められる。支持柱７３は、その下端を底面フレーム５０にネジ止め（図示せず）により固定されており、その上端はビデオカセット記録再生ユニット７０の下面に適当な係止手段（図示せず）により係止固定されている。なお、支持柱６３の本数を何本にするか、或いはそれらの位置については、設計的な事項である。
【００１９】
このように、ＤＶＤ記録／再生ユニット６０の支持柱６３の高さと、ビデオカセット記録再生ユニット７０の支持柱７３の高さを適宜選択して決めることにより、筐体底面５０に対する、ＤＶＤ記録／再生ユニット６０の媒体挿入口６１の高さと、ビデオカセット記録再生ユニット７０の媒体挿入口７１の高さを略同じ高さに配置させることができる。
【００２０】
図３及び図４に示されているように、ＤＶＤ記録／再生ユニット６０と底面フレーム５０との間には、ＤＶＤ用制御回路基板６２が配置されており、ビデオカセット記録再生ユニット７０と底面フレーム５０との間には、ＶＣＲ用制御回路基板７２が配置されている。また、ＤＶＤ用制御回路基板６２とＶＣＲ用制御回路基板７２との間には電源回路基板７７が配置されている。本実施例においては、ＶＣＲ用制御回路基板７２と電源回路基板７７は一体化されているが、回路構成の設計的要求から別体構成としても良い。いずれにしても、電源回路基板７７は、高さが或るトランスを搭載することから、高さに余裕のあるＤＶＤ記録／再生ユニット６０と底面フレーム５０との間に配置するのが好ましい。（図４参照）
【００２１】
図３に示した実施例においては、ＤＶＤ用制御回路基板６２の前端部は、前面に固定された２つの支持柱６３、６３よりも後方に位置するように配置されており、背面側に位置された残りの支持柱６３の取付部分に一致させて、切欠き部６４が形成されている。このようにして、残りの支持柱６３をＤＶＤ用制御回路基板６２と電源回路基板７７との間に配置しておけば、ＤＶＤ用制御回路基板６２に支持柱６３を貫通するための孔部を形成することがない。また、ＶＣＲ用制御回路基板７２には、支持柱７３が貫通する取付孔部７４が形成されており、前面に固定された支持柱６３の取付部分には切欠き部が形成されている。
【００２２】
図４は、底面フレーム５の上面への部品の取り付け状態を正面方向から見た正面図であり、図５は、それを上面から見た平面図である。図４に示すように、ビデオカセットテープ媒体及びＤＶＤ用光ディスク媒体の大きさが異なることから、ＤＶＤ記録／再生ユニット６０は、ビデオカセット記録再生ユニット７０よりも高さが小さくなり、ＤＶＤ媒体挿入部６１の位置をビデオカセット媒体挿入部７１とほぼ同じ高さの位置にすると、ＤＶＤ記録／再生ユニット６０と底面フレーム５０との間には、空きスペースが生じる。そして、この空きスペースにＤＶＤ用制御回路基板６２及び電源回路基板７７が配置される。
【００２３】
ＤＶＤ記録／再生ユニット６０の下の空きスペースには、ある程度高さに余裕があるので、ＤＶＤ用制御回路基板６２は両面に配線パターンを形成し電子部品を両面実装にして、基板の大きさをコンパクト化し、さらに前後方向に細長い形状とすることで、電源回路基板７７の配置スペースを十分取ることができる。そして、ＤＶＤ用制御回路基板６２の後端部には、ＤＶＤ用外都接続端子６５、６５、６５、６５を直接取り付けておけば（[図５]参照）、配線コード等を介さずに取り付けられるので、ノイズの影響を抑えることができる。
【００２４】
また、電源回路基板７７は、トランス７５等の部品が実装されているが、ＤＶＤ記録／再生ユニット６０の下の空きスペースには、ある程度高さに余裕が生じることから、嵩高いトランス７５を配置することができる。特に、トランスをコアが底面フレーム５０に対してほぼ水平となる横型のものを用いることで、トランスの高さも抑えることが可能となり、より余裕を持って電源回路基板７７を配置することができる。ＤＶＤ用制御回路基板６２及び電源回路基板７７とは、配線コード７６により接続されているが、ＶＣＲ用制御回路基板７２及び電源回路基板７７が一体化されているため、これ以外に配線コードを用いる必要がないことから、配線コードによるノイズ発生が極めて少ない構造となっている。
【００２５】
ＶＣＲ用制御回路基板７２は、下面に配線パターンが形成され電子部品を片面実装しているため、その実装スペースは薄くされている。この場合、リード付電子部品については上面に実装して、下面ではんだ付けを行うことで、上下方向の実装スペースを薄くすることもできる。さらに、ビデオカセット記録再生ユニット７０の装着部分については、チップ部品等の背の低い電子部品を実装することで実装スペースが厚くならないようにしている。そして、複合電子機器１０の筐体内に配置される部品の中でビデオカセット記録再生ユニット６０の高さが一番大きいことから、ＶＣＲ用制御回路基板７２の厚さをできるだけ薄くすることで複合電子機器１０の高さを小さくすることができる。ＶＣＲ用制御回路基板７２の前端部には、表示装置７８及び外部接続端子７９、７９が直接取り付けられており、また、後端部には、チューナ８０及び外部接続端子８１、８１、８１が直接取り付けられている。
【００２６】
なお、ＤＶＤ用制御回路基板６２には、支持足部８２、８２、８２、８２が四隅に設けられており、底面フレーム５０との問に所定間隔を空けて支持されている。同様に、ＶＣＲ用制御回路基板７２及び電源回路基板７７を一体化した回路基板も支持足部８３、８３、８３、８３、８３により底面フレーム５０との問に所定間隔を空けて支持されている。こうして所定問隔を空けて支持することで、回路基板で発生した熱等が効率よく外部に放出され、また、回路基板への衝撃を抑えることができる。
【００２７】
図７は、電源回路基板７７に搭載されたトランス７５近傍の高圧発生部分を示す回路図である。ＡＣコード８６より供給される２３０Ｖ交流電源の電圧を整流回路８７により３３０Ｖ直流に変換する。この３３０Ｖの電圧は、ＦＥＴ８８のスイッチング（ＯＮ−ＯＦＦの繰り返し）により、スイッチングトランス７５を通った後、４００Ｖ（尖頭値）を超える方形波となる。この回路部分は開放しており、欧州規格ＥＮ６００６５：１９９８年版に規定する潜在着火源９０に当たる。装置の小型化を狙って回路基板を設計すると、この潜在着火源９０は、ちょうど、ＤＶＤ記録／再生ユニット６０の後方部分が被さる位置に配置される（[図８]参照）。
【００２８】
図８は、電源回路基板７７上の潜在着火源９０、９０と、ＤＶＤ記録／再生ユニット６０と防火壁１００との位置関係が容易に理解できるように図示している。この防火壁１００とＤＶＤ記録／再生ユニット６０との位置関係及び形状は、夫々の電子機器の回路構成により相違して設計するものであり、本発明を限定するものではない。
【００２９】
図６には、底面フレーム５０に対してＤＶＤ記録／再生ユニット６０を装着する状態を示している。図６では、既に、ＶＣＲ用制御回路基板７２、電源回路基板７７及びＤＶＤ用制御回路基板６２は取り付けられており、それに対して、ＤＶＤ記録／再生ユニット６０を装着する状態を図示している。図６には、ＤＶＤ記録／再生ユニット６０を支持する支持柱６３の内１本の支持柱のみが図示されており、その支持柱６３が、ＤＶＤ記録／再生ユニット６０に対する防火壁１００の支持も兼ねている。
【００３０】
防火壁１００を支持する支持柱６３の詳細は、図９に示す。この支持柱６３は、ＤＶＤ記録／再生ユニット６０を支持する支持柱でもあるので、ＤＶＤ記録／再生ユニット６０をビス止めするビス孔９１を有し、ビス孔９１を上向きにしてＤＶＤ用制御回路基板６２に取り付けられている。その取り付けは、ＤＶＤ用制御回路基板６２に形成された取り付け孔（図示せず）に取り付け脚９２、９２及び９３、９３を挿入して取り付けるようにしている。その内の取り付け脚９２、９２は、弾性的にＤＶＤ用制御回路基板６２の取り付け孔に挿入されると自らの弾性力と鉤状部９４、９４により脱落しないようにして取り付けられる。この支持柱６３の側部に形成された部片９５、９５は、この支持柱６３に係合する防火壁１００の回動防止のための部片である（詳細は後述）。
【００３１】
防火壁１００の詳細は、図１０に示す。防火壁１００は、金属製又はＩＥＣ６０７０７に基づく燃焼性カテゴリーがＦＶ０を材質とした隔壁である。防火壁１００は、電源回路基板７７上の潜在着火源９０、９０からＤＶＤ記録／再生ユニット６０を遮断するための面状部１０１をそなえている。防火壁１００の円筒状部１０２は、支持柱６３に嵌め込まれる。その円筒状部１０２には２つの切欠き部１０３が形成されており、この切欠き部１０３、１０３は支持柱６３の側部に形成された部片９５、９５に係合され、防火壁１００の回動を防止する。さらに、防火壁１００には、回転防止用リブ１０４、１０４が設けられており、この回転防止用リブは、ＤＶＤ記録／再生ユニット６０の適当な位置に形成された回転防止穴（図示なし）に対して係合される。さらに、防火壁１００は、ビス穴１０５を通してビスによりＤＶＤ記録／再生ユニット６０と共に適当な支持体にビス止めされる。
【図面の簡単な説明】
【００３２】
【図１】本発明の実施例である複合電子機器全体の外観斜視図
【図２】上面フレームを取り外した状態の斜視図
【図３】底面フレームの上面への部品の取り付け状態を分解して示した分解斜視図
【図４】本発明の実施例である複合電子機器全体の構成正面図
【図５】本発明の実施例である複合電子機器全体の構成平面図
【図６】底面フレームに対してＤＶＤ記録/再生ユニットを装着する状態を示す分解斜視図
【図７】電源回路内の高圧発生部分の部分回路図
【図８】電源回路基板上の潜在着火源とＤＶＤ記録／再生ユニットと防火壁との位置関係を示す平面図
【図９】ＤＶＤ記録／再生ユニットの支持柱の詳細を示す５面図
【図１０】防火壁の詳細を示す５面図
【図１１】欧州規格ＥＮ６００６５：１９９８年版の内容を解説する説明図
【符号の説明】
【００３３】
１０  複合電子機器
２０  上面フレーム
３０  前面パネル
３１  ＤＶＤ媒体挿入口
３２  ビデオカセット媒体挿入口
４０  背面フレーム
５０  底面フレーム
６０  ＤＶＤ記録／再生ユニット
６３  支持柱（ＤＶＤ記録／再生ユニット）
７０  ビデオカセット記録再生ユニット
７３  支持柱（ビデオカセット記録再生ユニット）
７５  トランス
８０  チューナ
９０  潜在着火源
１００  防火壁
【図１】
2005116130.tif 000003
【図２】
2005116130.tif 000004
【図３】
2005116130.tif 000005
【図４】
2005116130.tif 000006
【図５】
2005116130.tif 000007
【図６】
2005116130.tif 000008
【図７】
2005116130.tif 000009
【図８】
2005116130.tif 000010
【図９】
2005116130.tif 000011
【図１０】
2005116130.tif 000012
【図１１】
2005116130.tif 000013